(57)【特許請求の範囲】
【請求項１】
同一の断面形状で隣接する芯体と、芯体の屋内側表面を覆う被覆部材と、壁等の設置面に対して芯体を固定する固定ブラケットと、隣接する芯体相互を連結する連結部材と、からなる壁面設置用ガードレールにおいて、芯体の裏面に連結部材を圧入する取付溝を設けるとともに、連結部材の一端側表面には摩擦面を設け、隣接させて固定ブラケットに固定する２本の芯体の内、一方の芯体の取付溝に連結部材の摩擦面を設けた一端側を圧入し、芯体から突出している連結部材を隣接させる他方の芯体を固定するためのガイド部とした事を特徴とする、壁面設置用ガードレールの連結構造。
【請求項２】
前記芯体裏面の取付溝が２列以上設けられている事を特徴とする、請求項１記載の壁面設置用ガードレールの連結構造。
【発明の詳細な説明】
【０００１】
【発明の属する技術分野】
本発明は、病院、老人施設等の建物通路壁面やエレベータ等の壁面に設置され、ストレッチャー等の屋内車両の衝突から壁面を保護し、手摺としての役割も持つ、壁面設置用ガードレールの改良に関する。
【０００２】
【従来の技術】
芯体の裏面に取付溝を設け、取付溝より僅かに大きな断面寸法を持つ連結部材を取付溝に圧入し、連結部材を介して隣接する芯体同士を連結する構造は、実開平７−１３９７１号公報等で公知とされている。  しかしながら、取付溝と連結部材それぞれの接触面は平滑であり、取付溝と連結部材は平滑な表面同士の摩擦力により嵌合状態が維持される様になっている為、固定した芯体から突出している連結部材をガイドとして、隣接させる芯体を所定位置に設置する際、連結部材は隣接させる芯体の取付溝に押しつけられて、固定した芯体の取付溝へ圧入させる時と同じ力が働き、固定した芯体の取付溝に連結部材全体がもぐり込む事態が起きる。
【０００３】
【発明が解決しようとする課題】
本発明が解決しようとする課題は、連結部材を隣接する芯体のガイドとして使用する際、隣接させる芯体に押しつけられる為に連結部材が取付溝内にもぐり込んで、芯体設置のガイドとしての役割を果さなくなる事の無い壁面設置用ガードレールの連結構造を提供する事にある。
【０００４】
【課題を解決するための手段】
前記課題を解決する為に、本発明による壁面設置用ガードレールの連結構造は、連結部材の一端側表面にローレット目等による摩擦面を付与し、この連結部材を芯体裏面の取付溝に圧入し、連結部材を芯体連結のガイドとした事を特徴とする。
【０００５】
【発明の実施の形態】
本発明の実施の形態について添付図面を参照して説明する。
図１において符号１、１´は硬質合成樹脂あるいは金属等の硬質材料で形成された形材による同一断面形状の芯体であり、２は芯体１、１´の屋内側表面を覆う様にして合成樹脂等の軟質材料で形成された長尺の被覆部材、３は壁等の設置面Ｗに対して芯体１、１´を固定する固定ブラケット、４は隣接する芯体１、１´を連結する連結部材を示す。
【０００６】
図２で示す様に、芯体１、１´の裏面には、連結部材４を圧入する為の取付溝５が設けられており、この取付溝５に連結部材４を圧入して、芯体１、１´相互を連結している。  固定ブラケット３はアンカー８により壁等の設置面Ｗに対して固定されている。  連結された芯体１、１´は固定ネジ７により、壁等の設置面Ｗに固定された固定ブラケット３に固定される。
【０００７】
図３で示す様に、連結部材４の一端側表面にはローレット目等による摩擦面６が設けられており、連結部材４のその他の部分に比べて、取付け溝５との嵌合を強固にして、隣接させる芯体１´を設置する際に、先に固定した芯体１の取付溝５に連結部材４全体がもぐり込む事を防いでいる。
【０００８】
各部材の壁等の設置面Ｗに対する取付手順は、まず壁等の設置面Ｗに固定ブラケット３をアンカー８等で設置する。  次いで設置された固定ブラケット８に芯体１を固定ネジ７により固定する。
【０００９】
図４で示す様に、固定された芯体１の取付溝５に連結部材４の摩擦面６が設けてある一端側を圧入して全長の半分程度を芯体１から突出させておく。  この作業により、先に固定した芯体１から突出した連結部材４が芯体１´を隣接させる為のガイド部９となる。
【００１０】
芯体１から突出しているガイド部９に隣接する芯体１´の取付溝５´を嵌めて、芯体１´を所定の位置に設置する。  ガイド部９に取付溝５´を嵌める際に、連結部材４は取付溝５´により取付溝５の長手方向へ押されるが、連結部材４の芯体１に圧入されている表面には、ローレット目等による摩擦面６が設けられているため、平滑なガイド部９に比べて取付け溝５との嵌合が強固であり、取付溝５の長手方向へずれて、取付溝５に連結部材４全体がもぐり込む事がない。
【００１１】
なお、上記の手順以外に、隣接させる芯体１´に連結部材４の摩擦面６が設けてある一端側を圧入して全長の半分程度を芯体１´から突出させておき、先に固定した芯体１に芯体１´を隣接させる手順においても取付溝５´に連結部材４全体がもぐり込む事を防ぐ同様の効果がある。
【００１２】
所定の位置に設置された芯体１´を固定ブラケット３と固定ネジ７により固定する。  固定ブラケットに固定された芯体１、１´に対し、屋内側表面より被覆部材２をかぶせる。  被覆部材２は長尺であり、芯体１、１´を覆うとともに芯体１、１´の突き合せ部分１０も継ぎ目なく覆うため、芯体１、１´の固定位置の誤差により突き合せ部分１０に段差が発生しても、段差を屋内側表面に露出する事がなく、使用者が突き合せ部１０の段差により負傷する事がない。  以上の作業で壁面設置用ガードレールが完成する。
【００１３】
図５は、連結部材４の摩擦面６の変形例を示したもので、摩擦面６が全長の半分の表面に設けられているため、取付溝５との嵌合がより強固になる。
【００１４】
図６は、芯体１、１´の取付溝５、５´の変形例を示したもので、取付溝５、５´が複数設けられているため、芯体１、１´の連結を行う箇所が複数になり、芯体１、１´の連結がより強固に行われ、ストレッチャー等の屋内車両が芯体同士の突き合せ部分１０に衝突しても突き合せ部分で芯体１、１´は変形を起さない。
【００１５】
連結部材４と取付溝５の断面形状は円形に限定されるものではなく、多様な形状が選択できる。  連結部材４と取付溝５形状は、図１、図２で示した以外の変形例を次に示す。  図７から図９は、連結部材４と取付溝５の変形例を示したもので、断面形状を円形以外の楕円、方形、多角形とした。
【００１６】
【発明の効果】
本発明は、次のような効果を奏する。
（１）  連結部材の一端側表面に摩擦面を付与したため、取付溝に圧入した時、両者の接触面は摩擦大の状態になる。  よって、固定した芯体から突出している連結部材をガイドとして隣接させる芯体を所定位置に設置する際、固定した芯体から突出している連結部材が隣接させる芯体の取付溝に押しつけられ、固定した芯体の取付溝に連結部材全体が入り込み、芯体設置のガイドとしての役割を果さなくなる事がない。。
（２）  芯体同士の連結を複数箇所で行っているため、ストレッチャー等の屋内車両が衝突した場合に、芯体の突き合せ部分で変形が起きない。  よって、使用者が芯体の変形により生じた段差の縁で負傷する事がない。
【図面の簡単な説明】
【図１】壁面設置用ガードレールの連結構造を示す部分欠截斜視図。
【図２】芯体と連結部材の嵌合状体を示す側面断面図。
【図３】連結部材を示す正面図。
【図４】壁面設置用ガードレールの示す部分欠截正面図。
【図５】連結部材の変形例を示す正面図。
【図６】芯体裏面の取付溝と連結部材の変形例を示す側面断面図。
【図７】芯体裏面の取付溝と連結部材の変形例を示す側面断面図。
【図８】芯体裏面の取付溝と連結部材の変形例を示す側面断面図。
【図９】芯体裏面の取付溝と連結部材の変形例を示す側面断面図。
【符号の説明】
Ｗ          設置面
１、１´    芯体
２          被覆部材
３          固定ブラケット
４、４´    連結部材
５、５´    取付溝
６          摩擦面
７          固定ネジ
８          アンカー
９          ガイド部
１０        突き合せ部分
【図１】
0003685909.tif 000002
【図２】
0003685909.tif 000003
【図３】
0003685909.tif 000004
【図４】
0003685909.tif 000005
【図５】
0003685909.tif 000006
【図６】
0003685909.tif 000007
【図７】
0003685909.tif 000008
【図８】
0003685909.tif 000009
【図９】
0003685909.tif 000010